(57)【要約】      （修正有）【課題】本発明は、下筐体および電池ケースを提供する。【解決手段】下筐体１は、本体１１と第１ガードユニット１２を備え且つ取付穴Ｔが設けられている。本体は、底板部１１１、側板部１１２と鍔部１１３を備える。側板部は、上下方向に沿って底板部から突起し、鍔部は、側板部の底板部から離間する端に接続されて側板部の外側へ延在する。第１ガードユニットは、上下方向に本体の外側に設けられて本体に固定される。第１ガードユニットは、鍔部に貼り付けられる。取付穴は、上下方向に沿って前記鍔部と前記鍔部に貼り合わされる第１ガードユニットとを貫通する。第１ガードユニットにより、下筐体全体の構造強度が向上する。同時に、取付穴が本体の前記鍔部と前記鍔部に貼り合わされる第１ガードユニットとを貫通して形成されるため、下筐体の取付部位の構造安定性が向上し、電池ケースが外力の衝撃を受けた時に下筐体の取付部位は、変形や破損しにくくなる。【選択図】図２
2020072082.tif 000002
【特許請求の範囲】
【請求項１】
下筐体（１）であって、
本体（１１）と、第１ガードユニット（１２）と、取付穴（Ｔ）とを備え、
本体（１１）は、底板部（１１１）、側板部（１１２）および鍔部（１１３）を備え、側板部（１１２）は、上下方向（Ｚ）に沿って底板部（１１１）から突起し、鍔部（１１３）は、側板部（１１２）の底板部（１１１）から離間する一端に接続されて側板部（１１２）の外側へ延在し、
第１ガードユニット（１２）は、上下方向（Ｚ）において本体（１１）の外側に設けられて本体（１１）に固定され、第１ガードユニット（１２）は、鍔部（１１３）に貼り合わされ、
取付穴（Ｔ）は、上下方向（Ｚ）に沿って前記鍔部（１１３）と前記鍔部（１１３）に貼り合わされる第１ガードユニット（１２）とを貫通する、ことを特徴とする下筐体（１）。
【請求項２】
第１ガードユニット（１２）は、第１ガードプレート（１２１）を備え、
第１ガードプレート（１２１）は、前記鍔部（１１３）に貼り合わされる第１上縁部（１２１Ａ）と、前記側板部（１１２）に貼り合わされる第１側縁部（１２１Ｂ）と、前記底板部（１１１）に貼り合わされる第１下縁部（１２１Ｃ）とを備え、
取付穴（Ｔ）は、上下方向（Ｚ）に沿って前記鍔部（１１３）と第１上縁部（１２１Ａ）とを貫通する、ことを特徴とする請求項１に記載の下筐体（１）。
【請求項３】
本体（１１）は、縦方向（Ｙ）に沿って間隔をあけて設けられる複数の突起部（１１４）をさらに備え、各突起部（１１４）は、上下方向（Ｚ）に沿って底板部（１１１）から突起し、底板部（１１１）とともに通路（１１５）を形成し、
第１ガードプレート（１２１）は、上下方向（Ｚ）に沿って第１下縁部（１２１Ｃ）から突起する第１凸部（１２１Ｄ）をさらに備え、第１凸部（１２１Ｄ）は、上下方向（Ｚ）において突起部（１１４）よりも高い、ことを特徴とする請求項２に記載の下筐体（１）。
【請求項４】
第１ガードユニット（１２）は、上下方向（Ｚ）において第１ガードプレート（１２１）の第１上縁部（１２１Ａ）の外側に設けられる支持柱（１２２）をさらに備え、
取付穴（Ｔ）は、上下方向（Ｚ）に沿って前記鍔部（１１３）と第１上縁部（１２１Ａ）と支持柱（１２２）とを貫通する、ことを特徴とする請求項２に記載の下筐体（１）。
【請求項５】
第１ガードユニット（１２）は、第１ガードプレート（１２１）と支持柱（１２２）との間に設けられるアダプタプレート（１２３）をさらに備え、
取付穴（Ｔ）は、上下方向（Ｚ）に沿って前記鍔部（１１３）と第１ガードプレート（１２１）とアダプタプレート（１２３）と支持柱（１２２）とを貫通する、ことを特徴とする請求項４に記載の下筐体（１）。
【請求項６】
アダプタプレート（１２３）は、第１上縁部（１２１Ａ）の外側に設けられる第２上縁部（１２３Ａ）と、第１側縁部（１２１Ｂ）の外側に設けられる第２側縁部（１２３Ｂ）と、第１下縁部（１２１Ｃ）の外側に設けられる第２下縁部（１２３Ｃ）と、第２側縁部（２３２）の支持柱（１２２）に向かう側から支持柱（１２２）へ延在してなる第２凸部（１２３Ｄ）とを備え、
支持柱（１２２）は、第２上縁部（１２３Ａ）と第２凸部（１２３Ｄ）とを固定接続する、ことを特徴とする請求項５に記載の下筐体（１）。
【請求項７】
下筐体（１）は、上下方向（Ｚ）において第１ガードユニット（１２）の外側に設けられる第２ガードユニット（１３）をさらに備え、第２ガードユニット（１３）は、第１ガードユニット（１２）および対応する本体（１１）に部分的に貼り合わされ、
取付穴（Ｔ）は、上下方向（Ｚ）に沿って前記鍔部（１１３）と第１ガードユニット（１２）と第２ガードユニット（１３）とを貫通することを特徴とする請求項１に記載の下筐体（１）。
【請求項８】
第１ガードユニット（１２）と第２ガードユニット（１３）とは、いずれも複数あり、
複数の第２ガードユニット（１３）と複数の第１ガードユニット（１２）とは、３次元網目構造として形成されている、ことを特徴とする請求項７に記載の下筐体（１）。
【請求項９】
第２ガードユニット（１３）は、第１ガードユニット（１２）および対応する本体（１１）に部分的に貼り合わされる第２ガードプレート（１３１）と、上下方向（Ｚ）において第２ガードプレート（１３１）の第１ガードユニット（１２）から離間する側に設けられ、第２ガードプレート（１３１）および第１ガードユニット（１２）に貼り合わされる接続プレート（１３２）とを備え、
取付穴（Ｔ）は、上下方向（Ｚ）に沿って前記鍔部（１１３）と第１ガードユニット（１２）と第２ガードプレート（１３１）と接続プレート（１３２）とを貫通する、ことを特徴とする請求項７に記載の下筐体（１）。
【請求項１０】
第２ガードプレート（１３１）は、第１ガードユニット（１２）に貼り合わされる第１取付部（１３１Ａ）と、第１取付部（１３１Ａ）の一方側に形成され、対応する本体（１１）に部分的に貼り合わされる第２取付部（１３１Ｂ）と、上下方向（Ｚ）に沿って第２取付部（１３１Ｂ）から突起する第３凸部（１３１Ｃ）とを備え、
取付穴（Ｔ）は、上下方向（Ｚ）に沿って前記鍔部（１１３）と第１ガードユニット（１２）と第１取付部（１３１Ａ）と接続プレート（１３２）とを貫通する、ことを特徴とする請求項９に記載の下筐体（１）。
【請求項１１】
第２ガードユニット（１３）は、第２ガードプレート（１３１）と対応する第１ガードユニット（１２）との間に固定配置されるパッド（１３３）をさらに備え、
取付穴（Ｔ）は、上下方向（Ｚ）に沿って前記鍔部（１１３）とパッド（１３３）と第２ガードプレート（１３１）と接続プレート（１３２）とを貫通する、ことを特徴とする請求項９に記載の下筐体（１）。
【請求項１２】
上筐体（２）は、本体（１１）の側板部（１１２）に対向して設けられて第１ガードユニット（１２）と第２ガードユニット（１３）とを固定接続する支持板（１４）をさらに備える、ことを特徴とする請求項７に記載の下筐体（１）。
【請求項１３】
上筐体（２）を備える電池ケースであって、
前記電池ケースは、請求項１から１２の何れか一項に記載の下筐体（１）を備える、ことを特徴とする電池ケース。
【発明の詳細な説明】
【技術分野】
【０００１】
本発明は、電池技術分野に関し、特に下筐体および電池ケースに関する。
【背景技術】
【０００２】
新エネルギー自動車の普及およびプッシュにつれて、新エネルギー自動車の安全信頼性は、ますます人々から注目や重視が集められつつある。電池ケースは、新エネルギー自動車のコア部品の１つとして、その安全性能が直接新エネルギー自動車の安全性能に影響する。さらに、電池ケースの下筐体は、電池ケースのコア担持部品として、その構造強度の信頼性が直接電池ケースの安全信頼性に影響する。
【０００３】
電池ケースと新エネルギー自動車との固定取付を図るために、下筐体には、取付穴が設けられていることが一般的である。電池ケースは、取付穴を介して新エネルギー自動車に固定される。新エネルギー自動車の走行中に、走行路が平坦ではないとき、電池ケースは、振動や衝撃を受ける。その中、下筐体の取付部位（即ち、取付穴および取付穴付近の部分）は、全電池ケースの荷重を受けるため、振動や衝撃を受け続けた後、もっとも変形や破損しやすくなる。
【発明の概要】
【発明が解決しようとする課題】
【０００４】
背景技術に存在する問題に鑑みて、本発明の目的は、下筐体の取付部位の構造安定性を向上させる下筐体および電池ケースを提供することにある。
【課題を解決するための手段】
【０００５】
上記目的を達成すべく、本発明は、下筐体を提供し、当該下筐体は、本体と、第１ガードユニットとを備え、取付穴が設けられている。本体は、底板部、側板部および鍔部を備え、側板部は、上下方向に沿って底板部から突起し、鍔部は、側板部の底板部から離間する一端に接続され、側板部の外側へ延在する。第１ガードユニットは、上下方向において本体の外側に設けられて本体に固定され、第１ガードユニットは、鍔部に貼り合わされる。取付穴は、上下方向に沿って前記鍔部と前記鍔部に貼り合わされる第１ガードユニットとを貫通する
【０００６】
第１ガードユニットは、第１ガードプレートを備える。第１ガードプレートは、本体の前記鍔部に貼り合わされる第１上縁部と、本体の側板部に貼り合わされる第１側縁部と、底板部に貼り合わされる第１下縁部とを備える。取付穴は、上下方向に沿って前記鍔部と第１上縁部とを貫通する。
【０００７】
本体は、間隔をあけて設けられる複数の突起部をさらに備え、各突起部は、上下方向に沿って底板部から突起し、底板部とともに通路を形成する。第１ガードプレートは、上下方向に沿って第１下縁部から突起する第１凸部をさらに備え、第１凸部は、上下方向において突起部よりも高い。
【０００８】
第１ガードユニットは、上下方向において第１ガードプレートの第１上縁部の外側に設けられる支持柱をさらに備える。取付穴は、上下方向に沿って前記鍔部と第１上縁部と支持柱とを貫通する。
【０００９】
第１ガードユニットは、第１ガードプレートと支持柱との間に設けられるアダプタプレートをさらに備える。取付穴は、上下方向に沿って前記鍔部と第１ガードプレートとアダプタプレートと支持柱とを貫通する。
【００１０】
アダプタプレートは、第１上縁部の外側に設けられる第２上縁部と、第１側縁部の外側に設けられる第２側縁部と、第１下縁部の外側に設けられる第２下縁部と、第２側縁部の支持柱に向かう側から支持柱へ延在してなる第２凸部とを備える。支持柱は、第２上縁部と第２凸部とを固定接続する。
【００１１】
下筐体は、上下方向において第１ガードユニットの外側に設けられる第２ガードユニットをさらに備え、第２ガードユニットは、第１ガードユニットおよび対応する本体に部分的に貼り合わされる。取付穴は、上下方向に沿って前記鍔部と第１ガードユニットと第２ガードユニットとを貫通する。
【００１２】
第１ガードユニットと第２ガードユニットとは、いずれも複数である。複数の第２ガードユニットと複数の第１ガードユニットとは、３次元網目構造として形成されている。
【００１３】
第２ガードユニットは、第１ガードユニットおよび対応する本体に部分的に貼り合わされる第２ガードプレートと、上下方向において第２ガードプレートの第１ガードユニットから離間する側に設けられ、且つ第２ガードプレートおよび対応する本体に部分的に貼り合わされる接続プレートとを備える。取付穴は、上下方向に沿って前記鍔部と第１ガードユニットと第２ガードプレートと接続プレートとを貫通する。
【００１４】
第２ガードプレートは、第１ガードユニットに貼り合わされる第１取付部と、第１取付部の一方側に形成され、対応する本体に部分的に貼り合わされる第２取付部と、上下方向に沿って第２取付部から突起する第３凸部とを備える。取付穴は、上下方向に沿って前記鍔部と第１ガードユニットと第１取付部と接続プレートとを貫通する。
【００１５】
第２ガードユニットは、第２ガードプレートと対応する第１ガードユニットとの間に固定配置されるパッドをさらに備える。取付穴は、上下方向に沿って前記鍔部とパッドと第２ガードプレートと接続プレートとを貫通する。
【００１６】
上筐体は、本体の側板部に対向して設けられて第１ガードユニットと第２ガードユニットとを固定接続する支持板をさらに備える。
【００１７】
本発明は、電池ケースをさらに提供する。当該電池ケースは、上筐体と上述した下筐体とを備える。
【発明の効果】
【００１８】
本発明は、以下の有利な作用効果を有する。
第１ガードユニットにより、下筐体全体の構造強度が向上する。それとともに、取付穴が、本体を貫通する前記鍔部と前記鍔部に貼り合わされる第１ガードユニットとによって形成されるため、下筐体の取付部位の構造安定性が向上し、電池ケースが外力の衝撃を受けたときに下筐体の取付部位が変形や破損しにくくなる。
【図面の簡単な説明】
【００１９】
【図１】本発明の電池ケースの斜視図である。
【図２】図１における下筐体の局所斜視図である。
【図３】図２の背面図である。
【図４】図３における下筐体から第２ガードユニットを除去した後の斜視図である。
【図５】図４における本体の斜視図である。
【図６】図４における第１ガードユニットの斜視図である。
【図７】図６における第１ガードプレートの斜視図である。
【図８】図６における支持柱の斜視図である。
【図９】図６におけるアダプタプレートの斜視図である。
【図１０】図３における第２ガードユニットの斜視図である。
【図１１】図１０における第２ガードユニットの背面図である。
【図１２】図１０における第２ガードプレートの斜視図である。
【図１３】図１０における接続プレートの斜視図である。
【図１４】図１０におけるパッドの斜視図である。
【発明を実施するための形態】
【００２０】
本発明の目的、解決手段およびメリットがより明瞭になるように、以下では図面および実施例を組み合わせて本発明をさらに詳細に説明する。ここで記述される具体的な実施例が単に本発明を解釈するためのものであり、本発明を制限するためのものでないことは、理解されるべきである。
【００２１】
本発明の記述において、別途明示的な規定や限定がない限り、用語「第１」、「第２」、「第３」は、記述の目的のみのために用いられ、相対的な重要性を指示又は示唆すると理解されるべきではない。別途規定又は説明がない限り、用語「複数の」とは２つ又は２つ以上を指し、用語「接続」、「固定」などは、いずれも広義に理解すべきであり、例えば、「接続」は、固定接続であってもよく、着脱可能な接続、又は一体的接続、又は電気的な接続、又は信号接続であってもよい。「接続」は、直接接続、中間媒体による間接接続であってもよい。当業者は、具体的な状況に応じて、上記用語の本発明における具体的な意味を理解可能である。
【００２２】
本明細書の説明では、本発明の実施例に記載の「上」、「下」などの方位詞は、図面に示す角度で説明されると理解することが必要であり、本発明の実施例を限定すると理解すべきではない。なお、文脈において、１つの素子がもう１つの素子の「外側」又は「内側」に設けられると説明する場合、それがもう１つの素子の「外側」又は「内側」に直接設けられてもよいし、仲介素子を介してもう１つの素子の「外側」又は「内側」に間接に設けられてもよいと理解する必要もある。
【００２３】
図１を参照すると、本発明の電池ケースは、下筐体１および上筐体２を備える。上筐体２は、下筐体１に組付けられている。下筐体１は、取付穴Ｔが設けられ、取付穴Ｔは、電池ケースを外部機器（例えば、電動自動車の車体）に固定して取り付けるために用いられる。ただし、取付穴Ｔは、通し穴（ネジが設けられていない）またはネジ穴であってもよい。
【００２４】
図２と図３を参照すると、下筐体１は、本体１１、第１ガードユニット１２、第２ガードユニット１３および支持板１４を備えてもよい。
【００２５】
図２から図５を参照すると、本体１１は、底板部１１１、側板部１１２、鍔部１１３および複数の突起部１１４を備える。側板部１１２は、上下方向Ｚに沿って底板部１１１から突起し、且つ横方向Ｘと縦方向Ｙにおいて全体として囲み枠構造を形成する。鍔部１１３は、側板部１１２の底板部１１１から離間する一端に接続されて側板部１１２の外側へ延在し、鍔部１３は、横方向Ｘに位置する鍔部１３と縦方向Ｙに位置する鍔部１３とを含む。複数の突起部１１４は、縦方向Ｙに沿って間隔をあけて設けられ、各突起部１１４は、上下方向Ｚに沿って底板部１１１から突起して底板部１１１とともに通路１１５を形成する。通路１１５内には、電池ケースに対して加熱または放熱処理を行うために、流動媒体を入れてもよい。
【００２６】
図２と図３を参照すると、第１ガードユニット１２は、上下方向Ｚにおいて本体１１の外側に設けられて本体１１に固定される。第２ガードユニット１３は、上下方向Ｚにおいて第１ガードユニット１２の外側に設けられ、且つ第１ガードユニット１２と対応する本体１１とに部分的に貼り合わされる。下筐体１が外力の衝撃を受けたときに、第２ガードユニット１３と第１ガードユニット１２が外部作用力を分散して本体１１の異なる部位に伝達可能であるため、本体１１の局所的な過大作用力による破損問題は回避される。
【００２７】
第１ガードユニット１２、第２ガードユニット１３および本体１１は、溶接によって一体化に接続可能であるため、各部品間の接続強度が向上し、下筐体１全体の構造強度がさらに向上可能である。
【００２８】
第１ガードユニット１２と第２ガードユニット１３は、いずれも複数であり、複数の第２ガードユニット１３と複数の第１ガードユニット１２とは、貼り合わされて３次元網目構造を形成する。前記３次元網目構造は、本体１１の異なる部位に貼り合わされて本体１１を支持する。下筐体１が外力の衝撃を受けたときに、前記３次元網目構造によって外部作用力がそれぞれ横方向Ｘ、縦方向Ｙおよび上下方向Ｚに沿って分散して本体１１の異なる部位に伝達されるため、本体１１の局所的な過大作用力による破損問題は回避される。
【００２９】
具体的に、図１を参照すると、第１ガードユニット１２は、２つあってもよい。２つの第１ガードユニット１２は、横方向Ｘに沿って間隔をあけて設けられている。第２ガードユニット１３は、３つあってもよい。３つの第２ガードユニット１３は、縦方向Ｙに沿って間隔をあけて設けられ、各第２ガードユニット１３の横方向Ｘに位置する両端は、それぞれ２つの第１ガードユニット１２を固定接続する。
【００３０】
一実施例では、第１ガードユニット１２は、第２ガードユニット１３に対して垂直または略垂直となるように設けられてもよい。このような設置方式は、特に規則的な構造（例えば、矩形）を有する本体１１に適用する。その際、第１ガードユニット１２と第２ガードユニット１３とによって形成される３次元網目構造が本体１１の構造にマッチング可能であるため、第１ガードユニット１２と第２ガードユニット１３との使用数が最大限で減少され、下筐体１の重量が低減される。
【００３１】
別の実施例では、第１ガードユニット１２と第２ガードユニット１３とは、一定角度の夾角（例えば、６０°夾角）を形成可能である。このような設置方式は、特に不規則的な構造を有する本体１１に適用する。その際、下筐体１が外力の衝撃を受けたときに、第１ガードユニット１２と第２ガードユニット１３とによって形成される３次元網目構造は、夾角を介して外部作用力をさらに分散させることもできる。
【００３２】
図２から図４を参照すると、各第１ガードユニット１２は、本体１１の鍔部１１３に貼り合わされている。取付穴Ｔは、上下方向Ｚに沿って本体１１の前記鍔部１１３と前記鍔部１１３に貼り合わされる第１ガードユニット１２とを貫通する。
【００３３】
第１ガードユニット１２が溶接によって本体１１の前記鍔部１１３に貼り合わされることが可能であるため、本体１１の前記鍔部１１３の構造強度が向上する。取付穴Ｔが本体１１の前記鍔部１１３と前記鍔部１１３に貼り合わされる第１ガードユニット１２とを貫通して形成されたため、下筐体１の取付部位の構造安定性が向上し、電池ケースが外力の衝撃を受けたときに下筐体１の取付部位が変形または破損しにくくなる。説明すべきことは、下筐体１の取付部位とは、下筐体１の取付穴Ｔが設けられる部分を指し、取付穴Ｔおよび取付穴Ｔ付近の部分を含む。
【００３４】
図４と図６を参照すると、各第１ガードユニット１２は、第１ガードプレート１２１、支持柱１２２及びアダプタプレート１２３を備えてもよい。
【００３５】
図３と図７を参照すると、第１ガードプレート１２１は、本体１１の前記鍔部１１３に貼り合わされる第１上縁部１２１Ａと、本体１１の側板部１１２に貼り合わされる第１側縁部１２１Ｂと、底板部１１１の側板部１１２に近接する部分に貼り合わされる第１下縁部１２１Ｃとを備えてもよい。その際、取付穴Ｔは、上下方向Ｚに沿って前記鍔部１１３と第１ガードプレート１２１の第１上縁部１２１Ａとを貫通する。
【００３６】
第１ガードプレート１２１の第１上縁部１２１Ａ、第１側縁部１２１Ｂおよび第１下縁部１２１Ｃがそれぞれ本体１１の異なる部分に貼り合わされるため、第１ガードプレート１２１は、略Ｚ型構造として形成される。固定部材５が取付穴Ｔを介して下筐体１を外部機器に取り付ける際、固定部材５の下筐体１の取付部位に作用する一部の力が直接本体１１に伝達され、一部の力が第１上縁部１２１Ａを経由して第１下縁部１２１Ｃに伝達されて最終的に本体１１に伝達される。その際、第１ガードプレート１２１のＺ型構造により、この両部分の力が部分的に相殺され得るため、下筐体１の取付部位の耐屈曲強度が向上する。
【００３７】
また、第１上縁部１２１Ａによって本体１１の鍔部１１３の構造強度を向上させ、第１側縁部１２１Ｂによって本体１１の側板部１１２の構造強度を向上させ、第１下縁部１２１Ｃによって本体１１の底板部１１１の構造強度を向上させるため、第１ガードプレート１２１によって下筐体１全体の構造強度を極めて大きく向上させる。
【００３８】
図３と図７を参照すると、第１ガードプレート１２１は、上下方向Ｚに沿って第１下縁部１２１Ｃから突起する第１凸部１２１Ｄをさらに備えてもよい。ただし、第１凸部１２１Ｄが第１上縁部１２１Ａ、第１側縁部１２１Ｂおよび第１下縁部１２１Ｃとともに几字形構造として形成されるため、第１ガードプレート１２１自身の構造強度が向上する。本体１１の通路１１５を保護するために、第１凸部１２１Ｄは、上下方向Ｚにおいて本体１１の突起部１１４よりも高い。
【００３９】
図４、図６と図８を参照すると、支持柱１２２は、円柱状構造であってもよく、軸方向に沿って第１ガードプレート１２１の外側に立設されてもよい。ここで所謂支持柱１２２の軸方向は、上下方向Ｚに平行となる。支持柱１２２の設置により、下筐体１の取付部位の上下方向Ｚにおける厚さが著しく増加される。また、取付穴Ｔが支持柱１２２を貫通するため、固定部材５が取付穴Ｔを通すと、支持柱１２２は、横方向Ｘと縦方向Ｙとによって形成される平面内の固定部材５の変位を規制可能である。これにより、取付と使用過程において固定部材５がシフト（取付部位に作用する力がシフト方向へ増加されるため、取付穴Ｔの引き裂けに繋がる）を発生することが回避され、下筐体１の取付部位の構造安定性が向上する。
【００４０】
図４と図６を参照すると、アダプタプレート１２３は、第１ガードプレート１２１と支持柱１２２との間に固定設置される。取付穴Ｔは、上下方向Ｚに沿って本体１１の前記鍔部１１３、第１ガードプレート１２１、アダプタプレート１２３および支持柱１２２を貫通する。ここで、アダプタプレート１２３の設置により、第１ガードプレート１２１と支持柱１２２との間の取付公差が吸収され得る。そして、下筐体１が外力の衝撃を受けた時に、一部の外部作用力がアダプタプレート１２３によって分散と遷移され得るため、下筐体１の取付部位の剛性がさらに向上する。
【００４１】
具体的に、図９を参照すると、アダプタプレート１２３は、第１上縁部１２１Ａの外側に設けられる第２上縁部１２３Ａと、第１側縁部１２１Ｂの外側に設けられる第２側縁部１２３Ｂと、第１下縁部１２１Ｃの第１側縁部１２１Ｂに近接する部分の外側に設けられる第２下縁部１２３Ｃと、第２側縁部１２３Ｂの支持柱１２２に向かう側から支持柱１２２へ延在してなる第２凸部１２３Ｄとを備えてもよい。ただし、支持柱１２２の軸方向にある表面には、第２上縁部１２３Ａが固定接続され、支持柱１２２の径方向にある外周面には、第２凸部１２３Ｄが固定接続されている。
【００４２】
支持柱１２２と第２上縁部１２３Ａとの固定接続により、支持柱１２２が受ける力を軸方向に沿って伝達可能であり、支持柱１２２と第２凸部１２３Ｄとの固定接続により、支持柱１２２が受ける力も径方向に沿って伝達可能であるため、電池ケースが外力の衝撃を受けたときに下筐体１の取付部位が変形または破損しにくくなる。
【００４３】
電池ケースの下筐体１では、第１ガードプレート１２１の第１下縁部１２１Ｃと本体１１の底板部１１１とが２層スポット溶接によって接続されてもよく、第１ガードプレート１２１の第１上縁部１２１Ａと本体１１の前記鍔部１１３、アダプタプレート１２３の第２上縁部１２３Ａとが３層スポット溶接によって接続されてもよいため、第１ガードユニット１２と本体１１は、溶接によって一体的に接続される。
【００４４】
図２と図３を参照すると、各第２ガードユニット１３は、溶接によって第１ガードユニット１２および対応する本体１１に部分的に貼り合わされてもよく、取付穴Ｔは、上下方向Ｚに沿って本体１１の前記鍔部１１３、第１ガードユニット１２および第２ガードユニット１３を貫通する。第１ガードユニット１２が第２ガードユニット１３とともに下筐体１の取付部位の構造強度を向上させる。下筐体１が外力の衝撃を受けたときに、下筐体１が第２ガードユニット１３と第１ガードユニットとによって形成される３次元網目構造を介して取付部位で受けた外力を分散させて伝達可能であるため、本体１１の局所的な過大作用力による破損問題は回避される。
【００４５】
図１０と図１１を参照すると、各第２ガードユニット１３は、第２ガードプレート１３１、接続プレート１３２およびパッド１３３を備えてもよい。
【００４６】
図３を参照すると、第２ガードプレート１３１は、第１ガードユニット１２および対応する本体１１に部分的に貼り合わされる。具体的に、図１２を参照すると、第２ガードプレート１３１は、第１ガードユニット１２に貼り合わされる第１取付部１３１Ａと、第１取付部１３１Ａの一方側に形成されて対応する本体１１に部分的に貼り合わされる第２取付部１３１Ｂと、上下方向Ｚに沿って第２取付部１３１Ｂから突起する第３凸部１３１Ｃとを備えてもよい。取付穴Ｔは、上下方向Ｚに沿って前記鍔部１１３、第１ガードユニット１２、第１取付部１３１Ａおよび接続プレート１３２を貫通する。
【００４７】
第３凸部１３１Ｃが補強リブに類似する構造をなし、各第１取付部１３１Ａがその両側の第１辺部１３１Ｄとともに几字形構造として形成されるため、第２ガードプレート１３１の構造強度が向上する。第３凸部１３１Ｃは、本体１１から離間する方向に第２取付部１３１Ｂから突起し、下筐体１が外力の衝撃を受けると、外力がまず第３凸部１３１Ｃに接触するため、本体１１を保護する役割を果たす。
【００４８】
電池ケースが被水環境または雨水環境に使用される際、水が第２ガードプレート１３１と本体１１との間に溜まり、両者に金属溶接接続が用いられるため、長期間に渡って水と接触すると溶接部位の腐食が引き起こされ、接続の失効引いては部品の腐食・破損が招来される。水を電池ケースからタイムリーに排出できるように、第２ガードプレート１３１の第３凸部１３１Ｃには、排水するためのスルーホールが設けられてもよい。類似的に、第１ガードプレート１２１の第１凸部１２１Ｄにも、排水するためのスルーホールが設けられてもよい。
【００４９】
図１２を参照すると、第２ガードプレート１３１は、第１取付部１３１Ａの両側に形成されて本体１１の前記鍔部１１３を固定接続する第１辺部１３１Ｄをさらに備えてもよい。
【００５０】
図１１と図１２を参照すると、第２ガードプレート１３１は、各第１取付部１３１Ａの第１ガードユニット１２に向かう面から突起して形成されて第１ガードプレート１２１と貼り合わされる突起１３１Ｅをさらに備えてもよい。突起１３１Ｅは、第１ガードユニット１２と本体１１とを支持するために用いられ、下筐体１の構造強度を向上させる。
【００５１】
図１０と図１１を参照すると、接続プレート１３２は、上下方向Ｚにおいて第２ガードプレート１３１の第１ガードユニット１２から離間する側に設けられ、且つ第２ガードプレート１３１および第１ガードユニット１２に貼り合わされる。また、接続プレート１３２は、第２ガードプレート１３１と第１ガードユニット１２とを固定接続する。
【００５２】
接続プレート１３２が第２ガードプレート１３１と第１ガードユニット１２とに対して同時に貼り合わ、且つ固定接続するため、第２ガードプレート１３１と第１ガードユニット１２との間の接続安定性が向上し、外力の衝撃による両者の接続失効問題は回避される。また、下筐体１が外力の衝撃を受けたときに、接続プレート１３２は受けた外力を直接第２ガードプレート１３１と第１ガードユニット１２とに分散させることができるため、外力が直接第２ガードプレート１３１に作用することによる第２ガードプレート１３１の構造の損傷問題を低減させることができる。また、接続プレート１３２によって第２ガードユニット１３の構造強度を局所的に向上させ、取付穴Ｔが第２ガードプレート１３１と接続プレート１３２とを貫通するため、下筐体１の取付部位の構造安定性が向上する。
【００５３】
図１３を参照すると、各接続プレート１３２は、本体部１３２Ａと、本体部１３２Ａの両側に形成される第２辺部１３２Ｂとを備えてもよい。各接続プレート１３２の本体部１３２Ａは、対応する第１取付部１３１Ａの外側に設けられて貼り合わされ、各第２辺部１３２Ｂは、対応する第１辺部１３１Ｄの外側に設けられて貼り合わされている。
【００５４】
図１３を参照すると、各接続プレート１３２は、各第２辺部１３２Ｂの一方側に形成される第３辺部１３２Ｃを備えてもよい。各第３辺部１３２Ｃは、第１ガードユニット１２の第１ガードプレート１２１の対応部分の外側に設けられて貼り合わされている。
【００５５】
各接続プレート１３２の本体部１３２Ａが第２ガードプレート１３１の第１取付部１３１Ａに固定接続され、第２ガードプレート１３１の突起１３１Ｅと各接続プレート１３２の第３辺部１３２Ｃとがいずれも第１ガードプレート１２１に固定接続されるため、第２ガードユニット１３と第１ガードユニット１２との間の接続強度が保証される。
【００５６】
図１３を参照すると、溶接が便利になるように、各接続プレート１３２は、本体部１３２Ａに設けられ、第２ガードプレート１３１の対応する突起１３１Ｅを接続プレート１３２に露出させるための第１逃げ孔１３２Ｄと、各第２辺部１３２Ｂに設けられ、対応する第１辺部１３１Ｄを接続プレート１３２に露出させるための第２逃げ孔１３２Ｅとが設けられてもよい。ただし、第２ガードプレート１３１の第１辺部１３１Ｄ、第１ガードプレート１２１、本体１１の前記鍔部１１３は、第２逃げ孔１３２Ｅによって３層スポット溶接接続を実現し、第２ガードプレート１３１の突起１３１Ｅ、第１ガードプレート１２１の第１下縁部１２１Ｃ、本体１１の底板部１１１は、第２逃げ孔１３２Ｅによって３層スポット溶接接続を実現する。
【００５７】
図１０、図１１と図１４を参照すると、パッド１３３は、第２ガードプレート１３１と対応する第１ガードユニット１２との間に固定設置される。パッド１３３の設置により、第２ガードユニット１３と第１ガードユニット１２の支持柱１２２との間の溶接は便利になる。パッド１３３が局所的に第２ガードユニット１３の構造強度を向上させるとともに、取付穴Ｔが第２ガードプレート１３１、接続プレート１３２およびパッド１３３を貫通するため、下筐体１の取付部位の剛性がさらに向上する。
【００５８】
図２と図３を参照すると、支持板１４は、本体１１の側板部１１２に対向して設けられ、且つ上下方向Ｚにおいて第１ガードユニット１２と第２ガードユニット１３とを固定接続する。また、支持板１４は、側板部１１２、第２ガードユニット１３、第１ガードユニット１２に接続されて口字型構造として形成される。前記口字型構造により、下筐体１の取付部位の耐屈曲能力が向上し、固定部材５が取付部位に作用することによる取付部位の変形引いては失効は回避される。
【００５９】
図２から図１４を参照すると、取付穴Ｔは、上下方向Ｚにおいて順次互いに連通される第１スルーホールＴ１、第２スルーホールＴ２、第４スルーホールＴ４、第３スルーホールＴ３、第５スルーホールＴ５、第７スルーホールＴ７および第６スルーホールＴ６を含んでもよい。
【００６０】
具体的に、図５を参照すると、第１スルーホールＴ１は、上下方向Ｚに沿って本体１１の前記鍔部１１３を貫通する。図７を参照すると、第２スルーホールＴ２は、上下方向Ｚに沿って第１ガードプレート１２１の第１上縁部１２１Ａを貫通する。図８を参照すると、第３スルーホールＴ３は、上下方向Ｚに沿って支持柱１２２を貫通する。図９を参照すると、第４スルーホールＴ４は、上下方向Ｚに沿ってアダプタプレート１２３の第２上縁部１２３Ａを貫通する。図１２を参照すると、第５スルーホールＴ５は、上下方向Ｚに沿って第２ガードプレート１３１に対応する第１取付部１３１Ａを貫通する。図１３を参照すると、第６スルーホールＴ６は、上下方向Ｚに沿って各接続プレート１３２の本体部１３２Ａを貫通する。図１４を参照すると、第７スルーホールＴ７は、上下方向Ｚに沿ってパッド１３３を貫通する。
【符号の説明】
【００６１】
１  下筐体
１１  本体
１１１  底板部
１１２  側板部
１１３  鍔部
１１４  突起部
１１５  通路
１２  第１ガードユニット
１２１  第１ガードプレート
１２１Ａ  第１上縁部
１２１Ｂ  第１側縁部
１２１Ｃ  第１下縁部
１２１Ｄ  第１凸部
１２２  支持柱
１２３  アダプタプレート
１２３Ａ  第２上縁部
１２３Ｂ  第２側縁部
１２３Ｃ  第２下縁部
１２３Ｄ  第２凸部
１３  第２ガードユニット
１３１  第２ガードプレート
１３１Ａ  第１取付部
１３１Ｂ  第２取付部
１３１Ｃ  第３凸部
１３１Ｄ  第１辺部
１３１Ｅ  突起
１３２  接続プレート
１３２Ａ  本体部
１３２Ｂ  第２辺部
１３２Ｃ  第３辺部
１３２Ｄ  第１逃げ孔
１３２Ｅ  第２逃げ孔
１３３  パッド
１４  支持板
２  上筐体
Ｔ  取付穴
Ｔ１  第１スルーホール
Ｔ２  第２スルーホール
Ｔ３  第３スルーホール
Ｔ４  第４スルーホール
Ｔ５  第５スルーホール
Ｔ６  第６スルーホール
Ｔ７  第７スルーホール
Ｘ  横方向
Ｙ  縦方向
Ｚ  上下方向
【図１】
2020072082.tif 000003
【図２】
2020072082.tif 000004
【図３】
2020072082.tif 000005
【図４】
2020072082.tif 000006
【図５】
2020072082.tif 000007
【図６】
2020072082.tif 000008
【図７】
2020072082.tif 000009
【図８】
2020072082.tif 000010
【図９】
2020072082.tif 000011
【図１０】
2020072082.tif 000012
【図１１】
2020072082.tif 000013
【図１２】
2020072082.tif 000014
【図１３】
2020072082.tif 000015
【図１４】
2020072082.tif 000016